(57)【要約】【課題】簡単な構造で、コイン状物を投入するだけで、洗浄効果が高く、洗浄液の付着のおそれもなく、大量にかつ迅速に洗浄処理することができるコイン状物の洗浄装置を提供する。【解決手段】コイン状の被洗浄物Ｃのホッパ２０と、前記ホッパ２０に投入された被洗浄物Ｃを一旦貯留するとともに１枚ずつ連続して送り出す切り出し部３０と、前記被洗浄物Ｃを順次下方へ誘導する誘導部４０と、前記誘導部４０によって誘導された被洗浄物Ｃを浸漬する水槽５１と超音波振動を付与する超音波発信部５５を備えた洗浄部５０と、一側が前記水槽５１下面に位置し他側が前記水槽５１外部上方に位置するように配置され被洗浄物Ｃを載置して搬送するコンベアベルト６１を有する搬送部６０と、前記水槽５１外部に配置され被洗浄物Ｃの水分を除去する水分除去部７０とを備える。【選択図】　　　　図１
0003098743.tif 000002
【実用新案登録請求の範囲】
【請求項１】
コイン状の被洗浄物を投入するホッパと、
前記ホッパに投入された被洗浄物を一旦貯留するとともに１枚ずつ連続して送り出す切り出し部と、
前記送り出された被洗浄物を順次下方へ誘導する誘導部と、
前記誘導部によって誘導された被洗浄物を浸漬する水槽と前記水槽内の水に超音波振動を付与する超音波発信部を備えた洗浄部と、
一側が前記水槽下面に位置し他側が前記水槽外部上方に位置するように配置され水槽下部に落下した被洗浄物を載置して搬送するコンベアベルトを有する搬送部と、
前記水槽外部に配置され前記コンベアベルト上の被洗浄物の水分を除去する水分除去部
とを備えることを特徴とするコイン状物の洗浄装置。
【請求項２】
前記切り出し部が、中央部に被洗浄物の貯留部を有する回転体を備え、前記回転体の回転とともに前記貯留部から切り出し開口を経て被洗浄物を１枚ずつ連続して送り出すように構成された請求項１に記載のコイン状物の洗浄装置。
【請求項３】
前記洗浄部の水槽内に被洗浄物が接触して向きを変えながら落下する接触部材が形成された請求項１又は２に記載のコイン状物の洗浄装置。
【請求項４】
前記接触部材が水槽内に掛け渡された複数の棒状部材よりなる請求項３に記載のコイン状物の洗浄装置。
【考案の詳細な説明】
【０００１】
【考案の属する技術分野】
この考案はコイン状物の洗浄装置に関する。
【０００２】
【従来の技術】
例えばスロットマシン遊技機を備えた遊技施設では常時大量のコインが使用されているが、遊技を快適に楽しむために、あるいは遊技者の衛生上、さらにはスロットマシン遊技機の作動異常を防ぐために、これらのコインを適宜洗浄する必要がある。一般に、この種コインは、洗浄効果を高めるため洗浄液によって洗浄されている（例えば、特開平１１−２９６７１４号公報参照。）。
【０００３】
しかるに、スロットマシン遊技機用のコインは表面積が大きく（より大型のものもある）、界面活性剤等の洗浄液による洗浄効果もただ単に浸漬するだけでは不十分で、機械的に擦過しなければならず、加えて洗浄液の払拭除去を完全に行わないと、逆にコイン表面に汚れが付着しやすいという問題がある。しかしながら、これらの問題を解決することは、その大量かつ迅速処理との関係で容易ではない。
【０００４】
【考案が解決しようとする課題】
この考案は、このような状況に鑑み提案されたものであって、簡単な構造で、コイン状物を投入するだけで、洗浄効果が高く、洗浄液の付着のおそれもなく、大量にかつ迅速に洗浄処理することができる新規なコイン状物の洗浄装置を提供することを目的とする。
【０００５】
【課題を解決するための手段】
すなわち、請求項１の考案は、コイン状の被洗浄物を投入するホッパと、前記ホッパに投入された被洗浄物を一旦貯留するとともに１枚ずつ連続して送り出す切り出し部と、前記送り出された被洗浄物を順次下方へ誘導する誘導部と、前記誘導部によって誘導された被洗浄物を浸漬する水槽と前記水槽内の水に超音波振動を付与する超音波発信部を備えた洗浄部と、一側が前記水槽下面に位置し他側が前記水槽外部上方に位置するように配置され水槽下部に落下した被洗浄物を載置して搬送するコンベアベルトを有する搬送部と、前記水槽外部に配置され前記コンベアベルト上の被洗浄物の水分を除去する水分除去部とを備えることを特徴とするコイン状物の洗浄装置に係る。
【０００６】
請求項２の考案は、請求項１において、前記切り出し部が、中央部に被洗浄物の貯留部を有する回転体を備え、前記回転体の回転とともに前記貯留部から切り出し開口を経て被洗浄物を１枚ずつ連続して送り出すように構成されたコイン状物の洗浄装置に係る。
【０００７】
請求項３の考案は、請求項１又は２において、前記洗浄部の水槽内に被洗浄物が接触して向きを変えながら落下する接触部材が形成されたコイン状物の洗浄装置に係る。
【０００８】
請求項４の考案は、請求項３において、前記接触部材が水槽内に掛け渡された複数の棒状部材よりなるコイン状物の洗浄装置に係る。
【０００９】
【考案の実施の形態】
以下添付の図面に従って、この考案の実施例について説明する。
図１はこの考案の一実施例に係る洗浄装置の概略図、図２は同洗浄装置の切り出し部の部分拡大正面図、図３は同切り出し部の概略側面図、図４は同洗浄装置が備える接触部材の配置を示す図である。
【００１０】
図１に図示したように、この考案のコイン状物の洗浄装置１０は、ホッパ２０と、切り出し部３０と、誘導部４０と、洗浄部５０と、搬送部６０と、水分除去部７０とを備えたことを特徴とする。
【００１１】
ホッパ２０はコイン状の被洗浄物Ｃを投入するためのものである。このホッパ２０は、図示のように、上部開口２１と、下方への傾斜面２２と、下部開口２３とによって形成されている。実施例のホッパ２０は、一時に約５００枚の被洗浄物Ｃを受け入れることができる。コイン状の被洗浄物Ｃは、上部開口２１から投入されて傾斜面２２に沿って流下し下部開口２３から下方へ排出される。なお、実施例の被洗浄物Ｃは、スロットマシン遊技機用のコインである。
【００１２】
切り出し部３０は、前記ホッパ２０に投入された被洗浄物Ｃを一旦貯留するとともに１枚ずつ連続して送り出す部分である。この切り出し部３０は、図示のように、前記被洗浄物Ｃの貯留部３１を備え前記ホッパ２０の直下に配置されている。前記ホッパ２０に投入された被洗浄物Ｃは、前記下部開口２３から排出されてこの切り出し部３０に一旦貯留される。切り出し部３０に貯留された被洗浄物Ｃは、例えば次述する回転体３５によって効果的に１枚ずつ連続して前記切り出し部３０の外部へ排出される。
【００１３】
すなわち、図２及び図３に図示し請求項２の考案として規定したように、実施例における切り出し部３０は、中央部に被洗浄物Ｃの貯留部３１を有する回転体３５を備え、前記回転体３５の回転とともに前記貯留部３１から切り出し開口３６を経て被洗浄物Ｃを１枚ずつ連続して送り出すように構成されている。
【００１４】
実施例の回転体３５は、公知のモータによってＸ方向に回転して前記ホッパ２０から投入された被洗浄物Ｃを１枚ずつポケット部３２に貯留する。ここでは、ポケット部３２を略半円形状の凹部としている。各ポケット部３２の被洗浄物Ｃは、回転体３５の遠心力によって水平方向Ｙに飛ばされて案内路３７を経て前記誘導部４０へ送り出される。これによって、被洗浄物Ｃを重なり合わない状態で順次前記誘導部４０へ送り出すことができる。なお、前記案内路３７は前記１枚ずつの送り出しが容易となるように左下方に傾斜している。実施例はポケット部３２を４つ設けているが、該ポケット部３２の設置数は適宜とすることができる。また、図中の符号３３は前記モータの回転軸が挿入された貫通孔、３８は被洗浄物Ｃの受止部、３９は前記受止部３８を形成するケーシングの壁部である。
【００１５】
誘導部４０は、前記送り出された被洗浄物Ｃを順次下方へ誘導するものである。この誘導部４０は、図示のように、前記切り出し部３０と接続された下方への傾斜誘導路として形成されている。切り出し部３０から１枚ずつ送り出された被洗浄物Ｃはこの誘導路４０に沿って下方へ流下する。実施例の誘導路４０は、複数のステンレス板を溶接して形成されるとともに前記被洗浄物Ｃの下方への流下を補助するレール部材４１を備えている。
【００１６】
洗浄部５０は水槽５１と超音波発信部５５を備えている。この水槽５１は、前記誘導部４０によって誘導された被洗浄物Ｃを浸漬するものであって前記誘導部４０の下方に配置されている。この水槽５１は、図示しない給水管からの所定量の水Ｗで満たされている。実施例の水槽５１は、ステンレス製で寸法が縦１９０ｍｍ，横４１０ｍｍ，高さ３６５ｍｍである。
【００１７】
超音波発信部５５は、前記水槽５１内の水に超音波振動を付与するものである。前記水槽５１に浸漬された被洗浄物Ｃの汚れは、超音波によるキャビテ−ション現象によって除去される。このように、被洗浄物Ｃは洗浄液を使用せずに超音波振動が付与された水によって洗浄されるため、従来のように被洗浄物Ｃの表面に洗浄液が付着することがない。
【００１８】
実施例では、この超音波発信部５５の超音波出力を８００Ｗとしている。超音波出力を８００Ｗとすれば、前記被洗浄物Ｃの洗浄効果を高めることができる。なお、実施例の超音波発信部５５は公知の超音波発信装置により構成されている。
【００１９】
この洗浄部５０は、前記被洗浄物Ｃを下方へ落下する間に前記超音波発信部５５から水に付与された超音波振動によって効果的に洗浄することができる。これによって、洗浄時間を短くすることができるとともに被洗浄物Ｃを平面で洗浄する場合に比べて洗浄部５０を小型化することができる。
【００２０】
搬送部６０は、一側が前記水槽５１の下面に位置し他側が前記水槽５１の上方に位置するように配置され水槽５１の下部に落下した被洗浄物Ｃを載置して搬送するコンベアベルト６１を有している。このコンベアベルト６１は、図示のように、所定の間隔で設けられた立設部６２を有している。コンベアベルト６１は、複数のスプロケットＳに係合されて連続して回転することによって載置した被洗浄物Ｃを上方へ搬送する。その際に前記立設部６２は、載置した被洗浄物Ｃが下方へ落下することを防ぐ。なお、実施例のコンベアベルト６１は公知の無端メッシュベルトによって構成されている。
【００２１】
水分除去部７０は、前記水槽５１の外部に配置され前記コンベアベルト６１上の被洗浄物Ｃの水分を除去するものである。図示のように、前記水分除去部７０は送風部７１を有している。この水分除去部７０は、前記送風部７１と接続された送風管７２，７３からの風によってコンベアベルト６１上の被洗浄物Ｃを乾燥させる。なお、前記送風部７１は公知の送風機（実施例ではシロッコファン）によって構成されている。
【００２２】
水分が除去されたコインＣ１は、図示のように、案内部８０によって洗浄装置１０の外部へ排出される。排出されたコインＣ１は、貯留皿等に集められて再びスロットマシン遊技機に使用される。なお、図中の符号１１はこの洗浄装置１０の移動に用いるキャスターである。
【００２３】
この実施例では、請求項３の考案として規定し図１及び図４に図示したように、前記洗浄部５０の水槽５１内には被洗浄物Ｃが接触して向きを変えながら落下する接触部材９０が形成されている。この接触部材９０は、ここでは、請求項４の考案として規定したように、水槽５１内に掛け渡された複数の棒状部材９１から構成されている。前記接触部材９０は、前記水槽５１内に設けた被洗浄物Ｃの通過部５２に掛け渡されている。前記誘導部４０によって誘導された被洗浄物Ｃは、水槽５１内で接触部材９０に接触して向きを変えながら落下することによって、全面の汚れが効果的に除去される。なお、実施例の通過部５２は、上下に開口部を有するように複数のステンレス板を組み合わせて形成された中空体である。図中の符号５３は、前記水槽５１内の水Ｗを通過部５２内に流通させる貫通孔である。
【００２４】
前記接触部材９０を上述のような棒状部材９１とすれば、簡単な構造によって被洗浄物Ｃの洗浄効果を高めることができる。なお、実施例の接触部材９０はステンレス製の棒状部材である。
【００２５】
【考案の効果】
以上図示し説明したように、この考案に係るコイン状物の洗浄装置によれば、簡単な構造で、コイン状物を投入するだけで、洗浄効果が高く、洗浄液の付着のおそれもなく、大量にかつ迅速に洗浄処理することができる。特に、この洗浄装置にあっては、被洗浄物が下方へ落下する間に超音波振動によって効果的に洗浄するものであるから、洗浄時間を短くすることができるとともに被洗浄物を平面で洗浄する場合に比べて小型化することができる。
【００２６】
請求項２の考案によれば、前記切り出し部が、中央部に被洗浄物の貯留部を有する回転体を備え、前記回転体の回転とともに前記貯留部から切り出し開口を経て被洗浄物を１枚ずつ連続して送り出すように構成されたものであるから、被洗浄物を重なり合わない状態で順次送り出すことができる。
【００２７】
請求項３の考案によれば、前記洗浄部の水槽内に被洗浄物が接触して向きを変えながら落下する接触部材が形成されているから、該被洗浄物の全面の汚れを効果的に除去することができる。
【００２８】
請求項４の考案によれば、前記接触部材が水槽内に掛け渡された複数の棒状部材よりなるから、簡単な構造によって被洗浄物の洗浄効果を高めることができる。
【図面の簡単な説明】
【図１】この考案の一実施例に係る洗浄装置の概略図である。
【図２】同洗浄装置の切り出し部の部分拡大正面図である。
【図３】同切り出し部の概略側面図である。
【図４】同洗浄装置が備える接触部材の配置を示す図である。
【符号の説明】
１０　洗浄装置
２０　ホッパ
３０　切り出し部
３１　貯留部
３５　回転体
３６　切り出し開口
４０　誘導部
５０　洗浄部
５１　水槽
５５　超音波発信部
６０　搬送部
６１　コンベアベルト
７０　水分除去部
９０　接触部材
９１　棒状部材
Ｃ　被洗浄物
【図１】
0003098743.tif 000003
【図２】
0003098743.tif 000004
【図３】
0003098743.tif 000005
【図４】
0003098743.tif 000006